(57)【要約】【課題】従来の技術が抱える問題、すなわち、外部から点灯に関する制御を行うインターフェイスに関して、簡単な回路構成で多段階調光を行うことができなかった問題を解決したランプ点灯装置を提供すること【解決手段】ランプへの出力電力を多段階に調整する機能を有するランプ点灯装置において、２値の極性をとる調光信号の受信手段を有し、前記調光信号が一方の極性のレベルにある期間において重畳された、所定の時間幅を有する、前記一方の極性とは逆極性のパルスを受信する度に１段階だけ出力電力を減少し、前記調光信号が他方の極性のレベルにある期間において重畳された、所定の時間幅を有する、前記他方の極性とは逆極性のパルスを受信する度に１段階だけ出力電力を増加するようにランプ点灯装置を構成する。【選択図】図１
2004265756.tif 000002
【特許請求の範囲】
【請求項１】
ランプへの出力電力を多段階に調整する機能を有するランプ点灯装置において、
２値の極性をとる調光信号の受信手段を有し、前記調光信号が一方の極性のレベルにある期間において重畳された、所定の時間幅を有する、前記一方の極性とは逆極性のパルスを受信する度に１段階だけ出力電力を減少し、前記調光信号が他方の極性のレベルにある期間において重畳された、所定の時間幅を有する、前記他方の極性とは逆極性のパルスを受信する度に１段階だけ出力電力を増加することを特徴とするランプ点灯装置。
【請求項２】
前記調光信号のレベルの極性が反転した時点から予め定めた時間を経過後に、前記パルスが受信されないときは、出力電力の調整可能範囲の最低段階または最高段階の何れかを、反転後の前記調光信号のレベルの極性に応じて、選択して設定することを特徴とする請求項１に記載のランプ点灯装置。
【発明の詳細な説明】
【０００１】
【発明の属する技術分野】
本発明は、ランプを点灯するためのランプ点灯装置に関する。
【０００２】
【従来の技術】
例えば、液晶プロジェクタやＤＬＰ（ＴＭ）（テキサスインスツルメンツ社）プロジェクタ等の光学装置ための光源装置において使用される高輝度放電ランプ用のランプ点灯装置においては、外部から点灯に関する制御を行うインターフェイスとして、ランプの点灯と消灯を制御するための点灯指令信号が設けられている。また、ランプの明るさを２段階に切換えるための電力切換信号が設けられるものもある。
【０００３】
ランプへの投入電力は、例えば１００〜３００Ｗと大きいため、余計な損失を防止し、コストを低減する目的で、ＡＣ１００〜２００Ｖの商用電源に対して回路を絶縁するための絶縁トランスを設けない場合がほとんどであり、したがって、ランプ点灯装置は商用電源に対して非絶縁の回路となる。ランプ点灯装置への前記点灯指令信号や前記電力切換信号は、前記光学装置の制御部からランプ点灯装置に入力されるが、この制御部は、映像信号コネクタなど、操作上の安全が要求される電位と直結の回路であるため、前記点灯指令信号や前記電力切換信号は、フォトカプラを用いて、電気的絶縁を保ってランプ点灯装置に入力される。
【０００４】
ところが、２段階よりも細かな、多段階の調光を行おうとすると、ランプ点灯装置における、前記インターフェイスに関する問題が生じる。すなわち、電気的絶縁を保った状態で、多段階もしくはアナログの調光情報を、簡単な回路構成を用いて経済的にランプ点灯装置に伝達することが容易ではない。
【０００５】
フォトカプラによりアナログのレベル信号を伝達することは、可能であるが回路が複雑でコスト高となるため、通常は行われていない。フォトカプラを２値信号の伝達手段として用いながら、フォトカプラのオンとオフを高速で繰り返すものとし、その際にデューティサイクル比変調または周波数変調を加えて受信側で復調する方法もあるが、この方法では、常にある周波数の信号を送受信し続ける必要があることにより、これを例えばマイクロプロセッサのプログラム処理で実現しようとすると、オーバーヘッドが生じる問題があるため、受信側、送信側とも専用のハードウェア処理が必要となり、同様に回路が複雑でコスト高となる。
【０００６】
フォトカプラの信号チャンネルの数を増し、例えば４チャンネルにして、４ビットで１６段階の調光を行うことも可能であるが、チャンネル数が増した分、回路が複雑でコスト高となる。トランスを用いたアイソレーションアンプによりアナログの信号を伝達する方法などもあるが、さらに回路が複雑でコスト高となる。
【０００７】
このため、多くの場合において、前記したような、１チャンネルの２値の電力切換信号による２段階の調光が行われている。しかしながら、光学装置の制御部によって、より細かな調光制御、すなわち多段階調光を行いたいとする要望が強く、これを簡単な回路構成で、低コストで実現することが望まれていた。
【０００８】
【発明が解決しようとする課題】
本発明は、従来の技術が抱える問題、すなわち、外部から点灯に関する制御を行うインターフェイスに関して、簡単な回路構成で多段階調光を行うことができなかった問題を解決したランプ点灯装置を提供することを目的とする。
【０００９】
【課題を解決するための手段】
この課題を解決するために、本発明の請求項１の発明は、ランプへの出力電力を多段階に調整する機能を有するランプ点灯装置において、２値の極性をとる調光信号の受信手段を有し、前記調光信号が一方の極性のレベルにある期間において重畳された、所定の時間幅を有する、前記一方の極性とは逆極性のパルスを受信する度に１段階だけ出力電力を減少し、前記調光信号が他方の極性のレベルにある期間において重畳された、所定の時間幅を有する、前記他方の極性とは逆極性のパルスを受信する度に１段階だけ出力電力を増加することを特徴とするものである。
【００１０】
本発明の請求項２の発明は、請求項１の発明において、前記調光信号のレベルの極性が反転した時点から予め定めた時間を経過後に、前記パルスが受信されないときは、出力電力の調整可能範囲の最低段階または最高段階の何れかを、反転後の前記調光信号のレベルの極性に応じて、選択して設定することを特徴とするものである。
【００１１】
【発明の実施の形態】
図１は、本発明にかかわるランプ点灯装置（Ｅｘ）の構成を示す簡略化されたブロック図である。ランプ（Ｌｄ’）は、給電回路（Ｂｘ）から電力を供給されて点灯する。前記給電回路（Ｂｘ）の給電能力や点灯・消灯の制御は、前記ランプ点灯装置（Ｅｘ）全体の制御を司る給電制御回路（Ｆｘ）のなかの能力制御回路（Ｕｄ’）によって行われる。
【００１２】
同じく前記給電制御回路（Ｆｘ）のなかのマイクロプロセッサユニット（Ｍｐｕ）は、ＣＰＵやプログラムメモリ、データメモリ、クロックパルス発生回路、タイムカウンタなどを含み、前記ランプ点灯装置（Ｅｘ）全体の動作シーケンスを規定するとともに、その時点の系の状態に応じた条件判断に基づき、ランプ電流などの、前記ランプ（Ｌｄ’）の電力に相関する量の目標データを算出し、このデータは、ＤＡ変換器（Ｄａｃ）によって、アナログの目標信号（Ｓｔ’）に変換され、前記能力制御回路（Ｕｄ’）に入力される。
【００１３】
前記マイクロプロセッサユニット（Ｍｐｕ）が、外部からの調光制御指示の情報を読取るために、ＩＯポート（Ｉｏ）が設けられており、前記ＩＯポート（Ｉｏ）には、調光信号（Ｓｄ）が入力される。また、外部からランプの点灯と消灯を指示する点灯指令信号（Ｓａｃｔ）も前記ＩＯポート（Ｉｏ）に入力される。
【００１４】
以下において、請求項１の発明について説明する。図２の（ａ）は、外部から前記ランプ点灯装置（Ｅｘ）に入力される前記調光信号（Ｓｄ）の波形の一形態について表したものである。期間（Ｚ１１）においてローレベルであった前記調光信号（Ｓｄ）は、時点（ｔ１２）においてハイレベルに遷移し、待機時間（Ｗ１２）の後に、パルス幅（Ｗｐ０）を有するロー極性のパルス（Ｐ１２１）が重畳され、さらにその後、同様のパルス（Ｐ１２２，Ｐ１２３，…）が重畳される。
【００１５】
前記したように、前記調光信号（Ｓｄ）は前記マイクロプロセッサユニット（Ｍｐｕ）により読取られるから、前記マイクロプロセッサユニット（Ｍｐｕ）は、前記時点（ｔ１２）におけるハイレベルへの遷移や前記パルス（Ｐ１２１，Ｐ１２２，Ｐ１２３）および前記パルス幅（Ｗｐ０）を検出し、さらに、前記時点（ｔ１２）におけるハイレベルへの遷移後の最初の前記ロー極性のパルス（Ｐ１２１）が現れるまでの前記待機時間（Ｗ１２）の存在を検出することができる。
【００１６】
これにより、前記マイクロプロセッサユニット（Ｍｐｕ）は、外部からの調光制御指示が、電力を１段階ずつ減少させる状態（電力減少モード）への移行であることを検知し、前記パルス（Ｐ１２１）に対応して、図２の（ｂ）に記載のように、時点（ｔ１２１）において、出力電力を１段階だけ減少させる。その後も、前記パルス（Ｐ１２２，Ｐ１２３，…）に対応して、時点（ｔ１２２，ｔ１２３，…）において、出力電力をそれぞれ１段階だけ減少させる。
【００１７】
次に、ハイレベルであった前記調光信号（Ｓｄ）は、時点（ｔ１３）においてローレベルに遷移し、待機時間（Ｗ１３）の後に、パルス幅（Ｗｐ０）を有するハイ極性のパルス（Ｐ１３１，Ｐ１３２，…）が重畳される。先と同様に、前記マイクロプロセッサユニット（Ｍｐｕ）は、前記時点（ｔ１３）におけるローレベルへの遷移や前記パルス（Ｐ１３１，Ｐ１３２，…）および前記パルス幅（Ｗｐ０）を検出し、さらに、前記時点（ｔ１３）におけるローレベルへの遷移後の最初の前記ハイ極性のパルス（Ｐ１３１）が現れるまでの前記待機時間（Ｗ１３）の存在を検出することができる。
【００１８】
これにより、前記マイクロプロセッサユニット（Ｍｐｕ）は、外部からの調光制御指示が、電力を１段階ずつ増加させる状態（電力増加モード）への移行であることを検知し、前記パルス（Ｐ１３１，Ｐ１３２，…）に対応して、時点（ｔ１３１，ｔ１３２，…）において、出力電力をそれぞれ１段階だけ増加させる。
【００１９】
以上の図２に関する説明から明らかなように、前記パルス幅（Ｗｐ０）は、前記パルス（Ｐ１２１，Ｐ１２２，…，Ｐ１３１，Ｐ１３２，…）を前記マイクロプロセッサユニット（Ｍｐｕ）がパルスとして検知するために必要であり、また、前記レベル遷移検知猶予時間（Ｗｗ０）は、時点（ｔ１２，ｔ１３，ｔ１４，…）における前記調光信号（Ｓｄ）のレベル遷移が、前記パルス（Ｐ１２１，Ｐ１２２，…，Ｐ１３１，Ｐ１３２，…）の一部ではないことを、前記マイクロプロセッサユニット（Ｍｐｕ）が知るために必要である。したがって、前記パルス幅（Ｗｐ０）、前記レベル遷移検知猶予時間（Ｗｗ０）の最小値と最大値とを、整合性をもって、ランプ点灯装置の仕様として定めておく必要がある。
【００２０】
なお、ここでは、前記調光信号（Ｓｄ）が、ロー極性のパルスを出力電力を減少させる指示、ハイ極性のパルスを出力電力を増加させる指示と定義したが、これを逆にして、ロー極性のパルスを出力電力を増加させる指示、ハイ極性のパルスを出力電力を減少させる指示と定義してもよい。
【００２１】
ところで、本明細書においては、前記調光信号（Ｓｄ）の極性として、前記図２の（ａ）に合わせて、便宜上、ハイまたはローと記載してあるが、これは、必ずしも電圧信号のハイとローのみを意味するものではなく、例えば、フォトカプラの発光素子がオンとオフや電流信号が流れている状態と流れていない状態など、２値の信号の一方の極性と他方の極性に対する呼称として用いている。
【００２２】
なお、ここで述べた前記ランプ点灯装置（Ｅｘ）においては、電力を１段階ずつ増加または減少させるときの１段階の細かさや、段数については、インターフェイスとしての制約は何もなく、ランプ点灯装置の仕様として、任意に定めることができる。
【００２３】
このような調光制御を行うための、前記マイクロプロセッサユニット（Ｍｐｕ）のプログラムは、一定時間の間隔で周期的にタイマ割込みを発生させて、前記調光信号（Ｓｄ）を実際に読取り、そのハイ・ローの変化を追跡する構造のものにより実現することができる。
【００２４】
一例として、タイマ割込み周期を１ｍｓとし、前記パルス幅（Ｗｐ０）の最小値と最大値をそれぞれ１ｍｓと２ｍｓと定めた場合に、このときのタイマ割込み処理をフローチャートで表したものを図３に示す。
【００２５】
入口点（Ｂ００）からこの処理を開始するとして、先ず処理ブロック（Ｂ０１）において前記調光信号（Ｓｄ）を読み込み、前記調光信号（Ｓｄ）の極性（ハイまたはロー）を検知して、判定ブロック（Ｂ０２）において、極性が前回の割込み時から（ハイからローへまたはローからハイへ）変化しているかどうかを判定する。
【００２６】
変化していない場合は、処理ブロック（Ｂ２１）において、その極性を連続して検知した回数をカウントするための変数（Ｃｏｕｎｔ）を１だけ増加させ、出口点（Ｂ０３）にジャンプして割込み処理を終了する。ただし、カウントの増加が際限なく続き、オーバーフローすることを防止するために、判定ブロック（Ｂ２０）において、前記変数（Ｃｏｕｎｔ）が適当に設けた上限値（図のフローの場合は１５）未満の場合のみカウントを増加させるようにしている。
【００２７】
前記判定ブロック（Ｂ０２）において極性が前回の割込み時から変化していると判定された場合は、判定ブロック（Ｂ１０）において、極性が変化するまでの前記変数（Ｃｏｕｎｔ）の値が３以下であるかどうかを比較判定する。ここで挙げた数値３は、前記パルス幅（Ｗｐ０）の最小値と最大値をそれぞれ１ｍｓと２ｍｓと定めたことに対応する。これは、タイマ割込み周期が１ｍｓであるから、前記パルス（Ｐ１２１，Ｐ１２２，…，Ｐ１３１，Ｐ１３２，…）を受信した場合の割込みカウント数は１または２、そして誤差を見込んで３までとなるはずだからである。
【００２８】
判定ブロック（Ｂ１０）において、前記変数（Ｃｏｕｎｔ）の値が３以下でないと判定された場合は、電力減少モードの期間（Ｚ１２，Ｚ１４，…）または電力増加モードの期間（Ｚ１１，Ｚ１３，…）の終了、あるいは、前記パルス（Ｐ１２１，Ｐ１２２，…，Ｐ１３１，Ｐ１３２，…）の開始と考えられるため、極性が変化して最初の割込みであったことに対応して、処理ブロック（Ｂ１５）において、前記変数（Ｃｏｕｎｔ）の値を１に設定し、出口点（Ｂ０３）にジャンプして割込み処理を終了する。
【００２９】
そして、判定ブロック（Ｂ１０）において、前記変数（Ｃｏｕｎｔ）の値が３以下であると判定された場合は、前記パルス（Ｐ１２１，Ｐ１２２，…，Ｐ１３１，Ｐ１３２，…）の終了と考えられるため、出力電力の増加または減少の処理を行う。判定ブロック（Ｂ１１）において、前記調光信号（Ｓｄ）の極性がローであると判定された場合は、ハイ極性のパルス（Ｐ１３１，Ｐ１３２，…）の終了であるため、処理ブロック（Ｂ１２）において、出力電力をそれぞれ１段階だけ増加させる。逆に、判定ブロック（Ｂ１１）において、前記調光信号（Ｓｄ）の極性がローでないと判定された場合は、ロー極性のパルス（Ｐ１２１，Ｐ１２２，…）の終了であるため、処理ブロック（Ｂ１３）において、出力電力をそれぞれ１段階だけ減少させる。
【００３０】
このように出力電力の増加または減少の処理が完了すれば、次に前記調光信号（Ｓｄ）の極性の変化を検知するまでは、待機状態でよいため、処理ブロック（Ｂ１４）において、前記変数（Ｃｏｕｎｔ）の値を前記した上限値に設定し、出口点（Ｂ０３）にジャンプして割込み処理を終了する。
【００３１】
なお、ここでは詳細の記載を省略したが、当然のこととして、処理ブロック（Ｂ１２）においては、出力電力の調整可能範囲の最高段階（最高電力）（Ｐｍａｘ）を超えての増加、そして処理ブロック（Ｂ１３）においては、出力電力の調整可能範囲の最低段階（最低電力）（Ｐｍｉｎ）に超えての減少を行わない処理を付加すべきである。
【００３２】
以上のような処理を周期的に行うことにより、前記ランプ点灯装置（Ｅｘ）は、前記マイクロプロセッサユニット（Ｍｐｕ）は、所期の調光動作を遂行することができる。なお、以上のような処理の開始時の初期状態としては、前記変数（Ｃｏｕｎｔ）の値が前記した上限値に設定され、出力電力の初期状態として前記最高電力（Ｐｍａｘ）に設定された状態に設定しておけばよい。
【００３３】
そして、以上のような周期的な割込み処理の開始は、前記点灯指令信号（Ｓａｃｔ）を受けて点灯を開始した時点、または、ランプ点灯初期の過渡期を終了して定常点灯状態に移行し、調光動作を遂行可能となった時点とすればよい。
【００３４】
ここで、前記した出力電力の初期状態としては、前記最低電力（Ｐｍｉｎ）の状態とするものでもよいし、あるいは、前記した所期状態の設定時点などの適当な時点における、前記調光信号（Ｓｄ）の極性に依存して、前記最低電力（Ｐｍｉｎ）または前記最高電力（Ｐｍａｘ）の何れかを選択して設定するものでもよく、これについてはランプ点灯装置の仕様の定めによる。
【００３５】
例えば、前記図２に記載の動作を行うものの場合は、前記した所期状態の設定時点において、前記調光信号（Ｓｄ）がローレベルのときは前記最低電力（Ｐｍｉｎ）、ハイレベルのときは前記最高電力（Ｐｍａｘ）に設定しても好都合である。
【００３６】
次に、請求項２の発明について説明する。この発明は、前記したパルスの重畳により出力電力の減少または増加を行う機能に加えて、前記最低電力（Ｐｍｉｎ）の状態（最低電力モード）または前記最高電力（Ｐｍａｘ）の状態（最高電力モード）に一足飛びに移行する機能を追加するものである。この機能は、前記最低電力（Ｐｍｉｎ）付近の電力の状態と前記最高電力（Ｐｍａｘ）付近の電力の状態との間を移行する場合に、処理時間を節約することができるため、有用性が高い。
【００３７】
図４の（ａ）は、外部から前記ランプ点灯装置（Ｅｘ）に入力される前記調光信号（Ｓｄ）の波形の一形態について表したものである。期間（Ｚ２１）においてローレベルであった前記調光信号（Ｓｄ）は、時点（ｔ２２）においてハイレベルに遷移し、この状態が予め定めた時間（限界電力設定検知猶予時間）（Ｗｗ１）を経過後にも継続する。
【００３８】
前記調光信号（Ｓｄ）は前記マイクロプロセッサユニット（Ｍｐｕ）により読取られるから、前記マイクロプロセッサユニット（Ｍｐｕ）は、前記時点（ｔ２２）におけるハイレベルへの遷移を検出し、さらに前記限界電力設定検知猶予時間（Ｗｗ１）を経過後にもロー極性のパルスが現れないことを検出することができる。
【００３９】
これにより、前記マイクロプロセッサユニット（Ｍｐｕ）は、外部からの調光制御指示が前記最低電力モードへの移行であることを検知し、前記時点（ｔ２２）におけるハイレベルへの遷移に対応して、図４の（ｂ）に記載のように、時点（ｔ２２１）において、出力電力を前記最低電力（Ｐｍｉｎ）に設定する。
【００４０】
次に、期間（Ｚ２２）においてハイレベルであった前記調光信号（Ｓｄ）は、時点（ｔ２３）においてローレベルに遷移し、待機時間（Ｗ２３）の後に、パルス幅（Ｗｐ０）を有するハイ極性のパルス（Ｐ２３１）が重畳され、さらにその後、同様のパルス（Ｐ２３２，Ｐ２３３，…）が重畳される。
【００４１】
前記マイクロプロセッサユニット（Ｍｐｕ）は、前記時点（ｔ２３）におけるローレベルへの遷移や前記パルス（Ｐ２３１，Ｐ２３２，Ｐ２３３）および前記パルス幅（Ｗｐ０）を検出し、さらに、前記時点（ｔ２３）におけるローレベルへの遷移後の最初の前記ハイ極性のパルス（Ｐ２３１）が現れるまでの前記待機時間（Ｗ２３）の存在を検出することができる。
【００４２】
これにより、前記マイクロプロセッサユニット（Ｍｐｕ）は、外部からの調光制御指示が、前記電力増加モードへの移行であることを検知し、前記パルス（Ｐ２３１）に対応して、時点（ｔ２３１）において、出力電力を１段階だけ減少させる。その後も、前記パルス（Ｐ２３２，Ｐ２３３，…）に対応して、時点（ｔ２３２，ｔ２３３，…）において、出力電力をそれぞれ１段階だけ増加させる。
【００４３】
次に、ローレベルであった前記調光信号（Ｓｄ）は、時点（ｔ２４）においてハイレベルに遷移し、待機時間（Ｗ２４）の後に、パルス幅（Ｗｐ０）を有するロー極性のパルス（Ｐ２４１，Ｐ２４２，…）が重畳される。先と同様に、前記マイクロプロセッサユニット（Ｍｐｕ）は、前記時点（ｔ２４）におけるハイレベルへの遷移や前記パルス（Ｐ２４１，Ｐ２４２，…）および前記パルス幅（Ｗｐ０）を検出し、さらに、前記時点（ｔ２４）におけるローレベルへの遷移後の最初の前記ロー極性のパルス（Ｐ２４１）が現れるまでの前記待機時間（Ｗ２４）の存在を検出することができる。
【００４４】
これにより、前記マイクロプロセッサユニット（Ｍｐｕ）は、外部からの調光制御指示が、前記電力減少モードへの移行であることを検知し、前記パルス（Ｐ２４１，Ｐ２４２，…）に対応して、時点（ｔ２４１，ｔ２４２，…）において、出力電力をそれぞれ１段階だけ減少させる。
【００４５】
次に、ハイレベルであった前記調光信号（Ｓｄ）は、時点（ｔ２５）においてローレベルに遷移し、この状態が前記限界電力設定検知猶予時間（Ｗｗ１）を経過後にも継続する。先と同様に、前記マイクロプロセッサユニット（Ｍｐｕ）は、前記時点（ｔ２５）におけるハイレベルへの遷移を検出し、さらに前記限界電力設定検知猶予時間（Ｗｗ１）を経過後にもハイ極性のパルスが現れないことを検出することができる。
【００４６】
これにより、前記マイクロプロセッサユニット（Ｍｐｕ）は、外部からの調光制御指示が前記最高電力モードへの移行であることを検知し、前記時点（ｔ２５）におけるローレベルへの遷移に対応して、時点（ｔ２５１）において、出力電力を前記最高電力（Ｐｍａｘ）に設定する。
【００４７】
以上の図４に関する説明から明らかなように、前記パルス幅（Ｗｐ０）は、前記パルス（Ｐ２３１，Ｐ２３２，…，Ｐ２４１，Ｐ２４２，…）を前記マイクロプロセッサユニット（Ｍｐｕ）がパルスとして検知するために必要であり、また、前記レベル遷移検知猶予時間（Ｗｗ０）は、時点（ｔ２２，ｔ２３，ｔ２４，ｔ２５）における前記調光信号（Ｓｄ）のレベル遷移が、前記パルス（Ｐ２３１，Ｐ２３２，…，Ｐ２４１，Ｐ２４２，…）の一部ではないことを、前記マイクロプロセッサユニット（Ｍｐｕ）が知るために必要であり、さらに、前記限界電力設定検知猶予時間（Ｗｗ１）は、この時間以内に前記パルス（Ｐ２３１，Ｐ２３２，…，Ｐ２４１，Ｐ２４２，…）が受信されるか否かにより、前記電力減少モードまたは前記電力増加モードに移行するか、あるいは前記最低電力モードまたは前記最高電力モードに移行するかを前記マイクロプロセッサユニット（Ｍｐｕ）が知るために必要である。したがって、前記パルス幅（Ｗｐ０）、前記レベル遷移検知猶予時間（Ｗｗ０）、前記限界電力設定検知猶予時間（Ｗｗ１）の最小値と最大値とを、整合性をもって、ランプ点灯装置の仕様として定めておく必要がある。
【００４８】
なお、ここでは、前記調光信号（Ｓｄ）がハイレベルに遷移し、この状態が前記限界電力設定検知猶予時間（Ｗｗ１）を経過後にも継続する状態を前記最低電力モードへ移行させる指示、ローレベルに遷移し、この状態が前記限界電力設定検知猶予時間（Ｗｗ１）を経過後にも継続する状態を前記最高電力モードへ移行させる指示と定義したが、これを逆にして、ハイレベルに遷移し、この状態が前記限界電力設定検知猶予時間（Ｗｗ１）を経過後にも継続する状態を前記最高電力モードへ移行させる指示、ローレベルに遷移し、この状態が前記限界電力設定検知猶予時間（Ｗｗ１）を経過後にも継続する状態を前記最低電力モードへ移行させる指示と定義してもよい。
【００４９】
このような調光制御を行うための、前記マイクロプロセッサユニット（Ｍｐｕ）のプログラムは、前記と同様に、一定時間の間隔で周期的にタイマ割込みを発生させて、前記調光信号（Ｓｄ）を実際に読取り、そのハイ・ローの変化を追跡する構造のものにより実現することができる。
【００５０】
前記図３の記載したものと同様に、一例として、タイマ割込み周期を１ｍｓとし、前記パルス幅（Ｗｐ０）の最小値と最大値をそれぞれ１ｍｓと２ｍｓ、そして、前記レベル遷移検知猶予時間（Ｗｗ０）の最小値を５ｍｓ、前記限界電力設定検知猶予時間（Ｗｗ１）の最大値を９ｍｓと定めた場合に、このときのタイマ割込み処理をフローチャートで表したものを図５に示す。
【００５１】
入口点（Ｂ４０）からこの処理を開始するとして、先ず処理ブロック（Ｂ４１）において前記調光信号（Ｓｄ）を読み込み、前記調光信号（Ｓｄ）の極性（ハイまたはロー）を検知して、判定ブロック（Ｂ４２）において、極性が前回の割込み時から（ハイからローへまたはローからハイへ）変化しているかどうかを判定する。
【００５２】
変化していない場合は、判定ブロック（Ｂ６０）において、その極性を連続して検知した回数をカウントするための変数（Ｃｏｕｎｔ）の値が４であるかどうかを比較判定する。ここで挙げた数値４は、前記レベル遷移検知猶予時間（Ｗｗ０）の最小値を５ｍｓと定めたことに対応する。これは、タイマ割込み周期が１ｍｓであるから、前記レベル遷移検知猶予時間（Ｗｗ０）の最小値に対応する割込みカウント数は５以上、そして誤差を見込んで４以上になるはずだからである。
【００５３】
前記判定ブロック（Ｂ６０）において前記変数（Ｃｏｕｎｔ）の値が４であると判定された場合は、処理ブロック（Ｂ６１）において、変数（Ｍｏｄｅ）に０を設定する。この変数（Ｍｏｄｅ）は、前記最低電力モードまたは前記最高電力モードへの移行指示を受けた状態では１、前記電力減少モードまたは前記電力増加モードの状態では２を設定するものと定義している。そして、前記処理ブロック（Ｂ６１）における設定０は、何れの状態であるかが未確定の状態とする。
【００５４】
未確定とする理由は、後述するように、前記パルス（Ｐ２３１，Ｐ２３２，…，Ｐ２４１，Ｐ２４２，…）に対応する前記変数（Ｃｏｕｎｔ）の値が３以下であり、前記変数（Ｃｏｕｎｔ）の値がこれを超えたため、この時点での状態が、前記パルス（Ｐ２３１，Ｐ２３２，…，Ｐ２４１，Ｐ２４２，…）の受信状態ではないことは確定したが、前記変数（Ｍｏｄｅ）が１の状態に遷移すべきか２の状態に遷移すべきかは不明であることによる。
【００５５】
前記処理ブロック（Ｂ６１）の処理を終えると、処理ブロック（Ｂ６８）において、前記変数（Ｃｏｕｎｔ）を１だけ増加させ、出口点（Ｂ４３）にジャンプして割込み処理を終了する。ただし、カウントの増加が際限なく続き、オーバーフローすることを防止するために、判定ブロック（Ｂ６７）において、前記変数（Ｃｏｕｎｔ）が適当に設けた上限値（図のフローの場合は１５）未満の場合のみカウントを増加させるようにしている。
【００５６】
前記判定ブロック（Ｂ６０）において前記変数（Ｃｏｕｎｔ）の値が４でないと判定された場合は、判定ブロック（Ｂ６２）において、前記変数（Ｃｏｕｎｔ）の値が１０であるかどうかを比較判定する。ここで挙げた数値１０は、前記限界電力設定検知猶予時間（Ｗｗ１）の最大値を９ｍｓと定めたことに対応する。これは、タイマ割込み周期が１ｍｓであるから、前記限界電力設定検知猶予時間（Ｗｗ１）の最大値に対応する割込みカウント数は９以上、そして誤差を見込んで１０以上になるはずだからである。
【００５７】
前記判定ブロック（Ｂ６２）において前記変数（Ｃｏｕｎｔ）の値が１０でないと判定された場合は、前記と同様に判定ブロック（Ｂ６７）と処理ブロック（Ｂ６８）による前記変数（Ｃｏｕｎｔ）の増加処理を行い、出口点（Ｂ４３）にジャンプして割込み処理を終了する。
【００５８】
前記判定ブロック（Ｂ６２）において前記変数（Ｃｏｕｎｔ）の値が１０であると判定された場合は、前記最低電力モードまたは前記最高電力モードへの移行指示を受けた状態が確定したから、判定ブロック（Ｂ６３）において、前記変数（Ｍｏｄｅ）の値を１に設定する。そして、判定ブロック（Ｂ６４）において、前記調光信号（Ｓｄ）の極性がローであると判定された場合は、処理ブロック（Ｂ６５）において、出力電力を前記最高電力（Ｐｍａｘ）に設定する。逆に、判定ブロック（Ｂ６４）において、前記調光信号（Ｓｄ）の極性がローでないと判定された場合は、処理ブロック（Ｂ６６）において、出力電力を前記最低電力（Ｐｍｉｎ）に設定する。
【００５９】
このように前記最高電力（Ｐｍａｘ）または前記最低電力（Ｐｍｉｎ）の設定処理が完了すれば、次に前記調光信号（Ｓｄ）の極性の変化を検知するまでは、待機状態でよいため、処理ブロック（Ｂ５９）において、前記変数（Ｃｏｕｎｔ）の値を前記した上限値に設定し、出口点（Ｂ４３）にジャンプして割込み処理を終了する。
【００６０】
前記判定ブロック（Ｂ４２）において極性が前回の割込み時から変化していると判定された場合は、判定ブロック（Ｂ５０）において、前記変数（Ｍｏｄｅ）の値が１であるかどうかを比較判定する。前記判定ブロック（Ｂ５０）において前記変数（Ｍｏｄｅ）の値が１であると判定された場合は、前記最低電力モードまたは前記最高電力モードへの移行指示を受けた状態が確定しているため、このときは出力電力の増加または減少の処理を行わないものとして、処理ブロック（Ｂ５６）に進み、極性が変化して最初の割込みであったことに対応して、前記変数（Ｃｏｕｎｔ）の値を１に設定し、出口点（Ｂ４３）にジャンプして割込み処理を終了する。
【００６１】
前記判定ブロック（Ｂ５０）において、前記変数（Ｍｏｄｅ）の値が１でないと判定された場合は、判定ブロック（Ｂ５１）において、極性が変化するまでの前記変数（Ｃｏｕｎｔ）の値が３以下であるかどうかを比較判定する。ここで挙げた数値３は、前記パルス幅（Ｗｐ０）の最小値と最大値をそれぞれ１ｍｓと２ｍｓと定めたことに対応する。これは、タイマ割込み周期が１ｍｓであるから、前記パルス（Ｐ２３１，Ｐ２３２，…，Ｐ２４１，Ｐ２４２，…）を受信した場合のカウント数は１または２、そして誤差を見込んで３までとなるはずだからである。
【００６２】
判定ブロック（Ｂ５１）において、前記変数（Ｃｏｕｎｔ）の値が３以下でないと判定された場合は、電力減少モードの期間（Ｚ２４，…）または電力増加モードの期間（Ｚ２３，…）、最低電力モードの期間（Ｚ２２，…）、最高電力モードの期間（Ｚ２５，…）の終了、あるいは、前記パルス（Ｐ２３１，Ｐ２３２，…，Ｐ２４１，Ｐ２４２，…）の開始と考えられるため、極性が変化して最初の割込みであったことに対応して、処理ブロック（Ｂ５６）において、前記変数（Ｃｏｕｎｔ）の値を１に設定し、出口点（Ｂ４３）にジャンプして割込み処理を終了する。
【００６３】
そして、判定ブロック（Ｂ５１）において、前記変数（Ｃｏｕｎｔ）の値が３以下であると判定された場合は、前記パルス（Ｐ２３１，Ｐ２３２，…，Ｐ２４１，Ｐ２４２，…）の終了と考えられるため、前記変数（Ｍｏｄｅ）の値に２を設定し、出力電力の増加または減少の処理を行う。
【００６４】
判定ブロック（Ｂ５３）において、前記調光信号（Ｓｄ）の極性がローであると判定された場合は、ハイ極性のパルス（Ｐ２３１，Ｐ２３２，…）の終了であるため、処理ブロック（Ｂ５４）において、出力電力をそれぞれ１段階だけ増加させる。逆に、判定ブロック（Ｂ５３）において、前記調光信号（Ｓｄ）の極性がローでないと判定された場合は、ロー極性のパルス（Ｐ２４１，Ｐ２４２，…）の終了であるため、処理ブロック（Ｂ５５）において、出力電力をそれぞれ１段階だけ減少させる。
【００６５】
このように出力電力の増加または減少の処理が完了すれば、次に前記調光信号（Ｓｄ）の極性の変化を検知するまでは、待機状態でよいため、処理ブロック（Ｂ５９）において、前記変数（Ｃｏｕｎｔ）の値を前記した上限値に設定し、出口点（Ｂ４３）にジャンプして割込み処理を終了する。
【００６６】
なお、前記した場合と同様に、処理ブロック（Ｂ５４）においては、出力電力の調整可能範囲の最高段階（最高電力）を超えての増加、そして処理ブロック（Ｂ５５）においては、出力電力の調整可能範囲の最低段階（最低電力）に超えての減少を行わない処理を付加すべきである。
【００６７】
以上のような処理を周期的に行うことにより、前記ランプ点灯装置（Ｅｘ）は、前記マイクロプロセッサユニット（Ｍｐｕ）は、所期の調光動作を遂行することができる。なお、以上のような処理の開始時の所期状態としては、前記変数（Ｃｏｕｎｔ）の値が前記した上限値に設定され、前記変数（Ｍｏｄｅ）の値が１に設定され、出力電力の初期値として前記調光信号（Ｓｄ）がローレベルのときは最高電力、ハイレベルのときは最低電力に設定された状態に設定しておけばよい。
【００６８】
そして、以上のような周期的な割込み処理の開始は、前記点灯指令信号（Ｓａｃｔ）を受けて点灯を開始した時点、または、ランプ点灯初期の過渡期を終了して定常点灯状態に移行し、調光動作を遂行可能となった時点とすればよい。
【００６９】
なお、ここで挙げたフローチャートでは、前記判定ブロック（Ｂ５０）において前記変数（Ｍｏｄｅ）の値が１となり、前記最低電力モードまたは前記最高電力モードが確定している状態では、ハイまたはロー極性のパルスによる出力電力の増加または減少の処理を
受付けない方式としたが、これを受付ける方式にしてもよい。何れの方式にするかは、ランプ点灯装置の仕様として、任意に定めることができる。
【００７０】
従来の技術の部分においても述べたように、１ビットの電力切換信号を用いて、ランプの明るさを２段階に切換えることは、従来から行われているが、以上述べたように、本発明のランプ点灯装置では、任意の段階数の多段階の調光情報を受信できるようするに際し、従来のものと同じ１ビットの前記調光信号（Ｓｄ）により、それを実現可能であるから、構造が簡単で低コストであることがわかる。
【００７１】
【実施例】
図６は、放電ランプ（Ｌｄ）に直流電圧を印加する本発明のランプ点灯装置（Ｅｘ）の実施例の構成を示す簡略化されたブロック図である。
【００７２】
前記ランプ点灯装置（Ｅｘ）の給電回路は、降圧チョッパ回路を基本としており、ＰＦＣ等のＤＣ電源（Ｍｘ）より電圧の供給を受けて動作する。すなわち、ＦＥＴ等のスイッチ素子（Ｑｘ）によってＤＣ電源（Ｍｘ）よりの電流をオン・オフし、チョークコイル（Ｌｘ）を介して平滑コンデンサ（Ｃｘ）に充電が行われ、この電圧が放電ランプ（Ｌｄ）に印加され、前記放電ランプ（Ｌｄ）に電流を流すことができるように構成されている。
【００７３】
なお、前記スイッチ素子（Ｑｘ）がオン状態の期間は、前記スイッチ素子（Ｑｘ）を通じた電流により、直接的に前記平滑コンデンサ（Ｃｘ）への充電と負荷である前記放電ランプ（Ｌｄ）への電流供給が行われるとともに、前記チョークコイル（Ｌｘ）に電流の形でエネルギーを蓄え、前記スイッチ素子（Ｑｘ）がオフ状態の期間は、前記チョークコイル（Ｌｘ）に電流の形で蓄えられたエネルギーによって、ダイオード（Ｄｘ）を介して前記平滑コンデンサ（Ｃｘ）への充電と前記放電ランプ（Ｌｄ）への電流供給が行われる。
【００７４】
スタータ（Ｕｉ）においては、抵抗（Ｒｉ）を介して、ランプ電圧（ＶＬ）によってコンデンサ（Ｃｉ）が充電される。ゲート駆動回路（Ｇｉ）を活性化すると、サイリスタ等よりなるスイッチ素子（Ｑｉ）が導通することにより、前記コンデンサ（Ｃｉ）がトランス（Ｋｉ）の１次側巻線を通じて放電し、２次側巻線（Ｈｉ）に高電圧パルスを発生する。
【００７５】
前記スタータ（Ｕｉ）の前記２次側巻線（Ｈｉ）に発生した高電圧は、前記降圧チョッパ回路の出力電圧に重畳されて電極（Ｅ１，Ｅ２）間に印加され、放電ランプ（Ｌｄ）の前記電極（Ｅ１，Ｅ２）の間隙において絶縁破壊を発生させ、放電を始動することができる。
【００７６】
給電制御回路（Ｆｘ）においては、能力制御回路（Ｕｄ）があるデューティサイクル比を有するゲート駆動信号（Ｓｇ）を生成し、前記ゲート駆動信号（Ｓｇ）は、ゲート駆動回路（Ｇｘ）を介して、前記スイッチ素子（Ｑｘ）のゲート端子に加えられることにより、前記したＤＣ電源（Ｍｘ）よりの電流のオン・オフが制御される。
【００７７】
前記放電ランプ（Ｌｄ）の電極（Ｅ１，Ｅ２）間を流れるランプ電流（ＩＬ）と、電極（Ｅ１，Ｅ２）間に発生するランプ電圧（ＶＬ）とは、電流検出手段（Ｉｘ）と、電圧検出手段（Ｖｘ）とによって、検出できるように構成される。なお、前記電流検出手段（Ｉｘ）については、シャント抵抗を用いて、また前記電圧検出手段（Ｖｘ）については、分圧抵抗を用いて簡単に実現することができる。
【００７８】
前記電流検出手段（Ｉｘ）よりのランプ電流信号（Ｓｉ）、および前記電圧検出手段（Ｖｘ）よりのランプ電圧信号（Ｓｖ）は、前記給電制御回路（Ｆｘ）に入力され、その時点における放電ランプ（Ｌｄ）の放電状態の別、すなわち非放電状態であるか、グロー放電状態であるか、アーク放電状態であるかなどに基づいて、ランプ電流（ＩＬ）やランプ電圧（ＶＬ）が、あるいはこれら電流と電圧の積であるランプ電力が、その目標値との差が減少するように、前記ゲート駆動信号（Ｓｇ）のデューティサイクル比がフィードバック的に制御される。
【００７９】
前記ランプ電圧信号（Ｓｖ）は、ＡＤ変換器（Ａｄｃ）に入力されて、適当な桁数を有するディジタルのランプ電圧データに変換され、マイクロプロセッサユニット（Ｍｐｕ）に入力される。ここで、マイクロプロセッサユニット（Ｍｐｕ）は、ＣＰＵやプログラムメモリ、データメモリ、クロックパルス発生回路、タイムカウンタなどを含む。
【００８０】
マイクロプロセッサユニット（Ｍｐｕ）は、前記ランプ電圧データを参照した計算や、その時点の系の状態に応じた条件判断に基づき、ランプ電流目標データを算出し、これは、ＤＡ変換器（Ｄａｃ）によって、アナログのランプ電流目標信号（Ｓｔ）に変換され、前記能力制御回路（Ｕｄ）に入力される。
【００８１】
前記能力制御回路（Ｕｄ）は、基本的には、前記ランプ電流信号（Ｓｉ）と前記ランプ電流目標信号（Ｓｔ）とを比較し、もし、前記ランプ電流信号（Ｓｉ）が前記ランプ電流目標信号（Ｓｔ）より小さい場合は前記ゲート駆動信号（Ｓｇ）のデューティサイクル比を増加し、逆に、前記ランプ電流信号（Ｓｉ）が前記ランプ電流目標信号（Ｓｔ）より大きい場合は前記ゲート駆動信号（Ｓｇ）のデューティサイクル比を減少するように動作する。
【００８２】
前記給電制御回路（Ｆｘ）から出力された前記ゲート駆動信号（Ｓｇ）が、前記ゲート駆動回路（Ｇｘ）に入力されることにより、結果として、前記ランプ電流信号（Ｓｉ）および前記ランプ電圧信号（Ｓｖ）が、スイッチ素子（Ｑｘ）の動作にフィードバックされたフィードバック制御系が完成する。
【００８３】
前記したように、マイクロプロセッサユニット（Ｍｐｕ）は、前記ランプ電圧データを参照した計算により、放電ランプ（Ｌｄ）において目標とするランプ電力の投入を実現するための、前記ランプ電流目標値を算出するが、ランプ始動時やアーク放電への移行直後などの過渡期を除いた定常点灯状態においては、ランプ電力目標値を前記ランプ電圧データで除することにより前記ランプ電流目標値を算出することができる。
【００８４】
前記マイクロプロセッサユニット（Ｍｐｕ）が、外部からの調光制御指示の情報、すなわち前記ランプ電力目標値の情報を読取るために、ＩＯポート（Ｉｏ）が設けられており、前記ＩＯポート（Ｉｏ）には、調光信号（Ｓｄ）が入力される。また、外部からランプの点灯と消灯を指示する点灯指令信号（Ｓａｃｔ）も前記ＩＯポート（Ｉｏ）に入力される。
【００８５】
この実施例の構成の前記ランプ点灯装置（Ｅｘ）において、前記した図３のフローチャートに記載の調光制御を行うＣ言語によるプログラムのソースの一例を図７に示す。また、図５のフローチャートに記載の調光制御を行うＣ言語によるプログラムのソースの一例を図８、図９に示す。図８に示すプログラムに図９に示すプログラムが続く形となっている。プログラムの説明は、コメントとして、記号  ／＊  と  ＊／  で挟んで記載してある。なお、記載したプログラムのソースは、本発明のランプ点灯装置（Ｅｘ）の調光制御において本質的な部分のみを記載しており、したがって、記載の割込み処理関数  Ｉｎｔｅｒｒｕｐｔ＿Ｔｉｍ＿１ｍｓ（）  においては、例えばレジスタの退避や割込みの許可・禁止などのハードウェア制御に近い処理については省略されている。
【００８６】
本明細書に記載の回路構成や信号の形態、プログラム処理の方法は、本発明のランプ点灯装置の動作や機能、作用を説明するために、必要最少限のものを記載したものである。したがって、実施例で説明した回路動作の詳細事項、例えば、信号の極性であるとか、具体的な回路素子の選択や追加、省略、或いは素子の入手の便や経済的理由に基づく変更などの創意工夫は、実際の装置の設計において、積極的に遂行されることを前提としている。
【００８７】
とりわけ過電圧や過電流、過熱などの破損要因からランプ点灯装置のＦＥＴ等のスイッチ素子などの回路素子を保護するための機構、または、ランプ点灯装置の回路素子の動作に伴って発生する放射ノイズや伝導ノイズの発生を低減したり、発生したノイズを外部に出さないための機構、例えば、スナバ回路やバリスタ、クランプダイオード、（パルスバイパルス方式を含む）電流制限回路、コモンモードまたはノーマルモードのノイズフィルタチョークコイル、ノイズフィルタコンデンサなどは、必要に応じて、実施例に記載の回路構成の各部に追加されることを前提としている。
【００８８】
また、本発明になるランプ点灯装置の構成は、本明細書の実施例に記載の回路方式のものに限定されるものではない。特に、本明細書ではランプ電圧によらずランプ電力を一定化制御する場合を中心に説明したが、この状況は本発明において必須の事項ではなく、他の制御方針の場合でも、本発明の効果は良好に機能する。
【００８９】
実施例においては、アーク放電への移行検知の判断や、シーケンス制御は、マイクロプロセッサユニット（Ｍｐｕ）により行われる場合を記載したが、これについては、前記マイクロプロセッサユニット（Ｍｐｕ）を廃して、より単純な制御回路に代えるような簡素化などのランプ点灯装置の構成の多様化のもとでも、本発明の効果は良好に発揮される。
【００９０】
【発明の効果】
本発明によれば、従来の技術が抱える問題、すなわち、外部から点灯に関する制御を行うインターフェイスに関して、簡単な回路構成で多段階調光を行うことができなかった問題を解決したランプ点灯装置を提供することができる。
【図面の簡単な説明】
【図１】本発明のランプ点灯装置（Ｅｘ）の構成を示す簡略化されたブロック図である。
【図２】本発明のランプ点灯装置（Ｅｘ）の調光信号および出力電力の波形の一形態を示す図である。
【図３】本発明のランプ点灯装置（Ｅｘ）の調光制御の処理を示すフローチャートの一例である。
【図４】本発明のランプ点灯装置（Ｅｘ）の調光信号および出力電力の波形の一形態を示す図である。
【図５】本発明のランプ点灯装置（Ｅｘ）の調光制御の処理を示すフローチャートの一例である。
【図６】本発明のランプ点灯装置（Ｅｘ）の実施例の構成を示す簡略化されたブロック図である。
【図７】本発明のランプ点灯装置（Ｅｘ）の実施例の調光制御の処理を示すＣ言語プログラムの一例である。
【図８】本発明のランプ点灯装置（Ｅｘ）の実施例の調光制御の処理を示すＣ言語プログラムの前半部分の一例である。
【図９】本発明のランプ点灯装置（Ｅｘ）の実施例の調光制御の処理を示すＣ言語プログラムの後半部分の一例である。
【符号の説明】
Ａｄｃ                    ＡＤ変換器
Ｂ００                    入口点
Ｂ０１                    処理ブロック
Ｂ０２                    判定ブロック
Ｂ０３                    出口点
Ｂ１０                    判定ブロック
Ｂ１１                    判定ブロック
Ｂ１２                    処理ブロック
Ｂ１３                    処理ブロック
Ｂ１４                    処理ブロック
Ｂ１５                    処理ブロック
Ｂ２０                    判定ブロック
Ｂ２１                    処理ブロック
Ｂ４０                    入口点
Ｂ４１                    処理ブロック
Ｂ４２                    判定ブロック
Ｂ４３                    出口点
Ｂ５０                    判定ブロック
Ｂ５１                    判定ブロック
Ｂ５３                    判定ブロック
Ｂ５４                    処理ブロック
Ｂ５５                    処理ブロック
Ｂ５６                    処理ブロック
Ｂ５９                    処理ブロック
Ｂ６０                    判定ブロック
Ｂ６１                    処理ブロック
Ｂ６２                    判定ブロック
Ｂ６３                    判定ブロック
Ｂ６４                    判定ブロック
Ｂ６５                    処理ブロック
Ｂ６６                    処理ブロック
Ｂ６７                    判定ブロック
Ｂ６８                    処理ブロック
Ｂｘ                      給電回路
Ｃｉ                      コンデンサ
Ｃｏｕｎｔ                変数
Ｃｘ                      平滑コンデンサ
Ｄａｃ                    ＤＡ変換器
Ｄｘ                      ダイオード
Ｅ１                      電極
Ｅ２                      電極
Ｅｘ                      ランプ点灯装置
Ｆｘ                      給電制御回路
Ｇｉ                      ゲート駆動回路
Ｇｘ                      ゲート駆動回路
Ｈｉ                      ２次側巻線
ＩＬ                      ランプ電流
Ｉｏ                      ＩＯポート
Ｉｘ                      電流検出手段
Ｋｉ                      トランス
Ｌ０                      ローレベル
Ｌ１                      ハイレベル
Ｌｄ                      放電ランプ
Ｌｄ’                    ランプ
Ｌｘ                      チョークコイル
Ｍｏｄｅ                  変数
Ｍｐｕ                    マイクロプロセッサユニット
Ｍｘ                      ＤＣ電源
Ｐ１２１                  パルス
Ｐ１２２                  パルス
Ｐ１２３                  パルス
Ｐ１３１                  パルス
Ｐ１３２                  パルス
Ｐ２３１                  パルス
Ｐ２３２                  パルス
Ｐ２３３                  パルス
Ｐ２４１                  パルス
Ｐ２４２                  パルス
Ｐｍａｘ                  最高電力
Ｐｍｉｎ                  最低電力
Ｐｗ                      出力電力
Ｑｉ                      スイッチ素子
Ｑｘ                      スイッチ素子
Ｒｉ                      抵抗
Ｓａｃｔ                  点灯指令信号
Ｓｄ                      調光信号
Ｓｇ                      ゲート駆動信号
Ｓｉ                      ランプ電流信号
Ｓｔ                      ランプ電流目標信号
Ｓｔ’                    目標信号
Ｓｖ                      ランプ電圧信号
Ｕｄ                      能力制御回路
Ｕｄ’                    能力制御回路
Ｕｉ                      スタータ
ＶＬ                      ランプ電圧
Ｖｘ                      電圧検出手段
Ｗ１２                    待機時間
Ｗ１３                    待機時間
Ｗ２３                    待機時間
Ｗ２４                    待機時間
Ｗｐ０                    パルス幅
Ｗｗ０                    レベル遷移検知猶予時間
Ｗｗ１                    限界電力設定検知猶予時間
Ｚ１１                    期間
Ｚ１２                    期間
Ｚ１３                    期間
Ｚ１４                    期間
Ｚ２１                    期間
Ｚ２２                    期間
Ｚ２３                    期間
Ｚ２４                    期間
Ｚ２５                    期間
ｔ１２                    時点
ｔ１２１                  時点
ｔ１２２                  時点
ｔ１２３                  時点
ｔ１３                    時点
ｔ１３１                  時点
ｔ１３２                  時点
ｔ２２                    時点
ｔ２２１                  時点
ｔ２３                    時点
ｔ２３１                  時点
ｔ２３２                  時点
ｔ２３３                  時点
ｔ２４                    時点
ｔ２４１                  時点
ｔ２４２                  時点
ｔ２５                    時点
ｔ２５１                  時点
【図１】
2004265756.tif 000003
【図２】
2004265756.tif 000004
【図３】
2004265756.tif 000005
【図４】
2004265756.tif 000006
【図５】
2004265756.tif 000007
【図６】
2004265756.tif 000008
【図７】
2004265756.tif 000009
【図８】
2004265756.tif 000010
【図９】
2004265756.tif 000011